(57)【要約】【課題】簡易な手順で表示画面の設定を行う。【解決手段】情報処理装置と、前記情報処理装置と通信を行う本体装置と、を有する情報処理システムであって、ユーザの情報の入力を受け付ける受け付け部と、ユーザ属性に応じて設定された、複数の表示部品の配置順を示す配置設定情報を参照し、前記ユーザの情報に基づく前記配置設定情報を選択する選択部と、選択された前記配置設定情報に応じた配置順で前記複数の表示部品が配置されており、前記複数の表示部品の配置の変更を受け付ける画面を表示装置に表示させる表示制御部と、を有する情報処理システムが提供される。【選択図】図３
2017078905.tif 000002
【特許請求の範囲】
【請求項１】
情報処理装置と、前記情報処理装置と通信を行う本体装置と、を有する情報処理システムであって、
ユーザの情報の入力を受け付ける受け付け部と、
ユーザ属性に応じて設定された、複数の表示部品の配置順を示す配置設定情報を参照し、前記ユーザの情報に基づく前記配置設定情報を選択する選択部と、
選択された前記配置設定情報に応じた配置順で前記複数の表示部品が配置されており、前記複数の表示部品の配置の変更を受け付ける画面を表示装置に表示させる表示制御部と、を有する情報処理システム。
【請求項２】
前記配置設定情報は、
前記情報処理システムにおいて実行されるアプリケーション毎に設定されている請求項１記載の情報処理システム。
【請求項３】
前記画面において、前記複数の表示部品の配置が変更されたとき、前記選択部により参照された前記配置設定情報を、前記変更が反映された配置設定情報に更新して記憶部に登録する登録部を有する請求項１又は２記載の情報処理システム。
【請求項４】
前記記憶部は、前記ユーザの情報と、前記配置設定情報とが対応付けられた第一のテーブルを有し、
前記選択部は、前記ユーザの情報に応じて、前記第一のテーブルを参照し、前記配置設定情報を選択する請求項３記載の情報処理システム。
【請求項５】
前記記憶部は、
ユーザの情報と、前記ユーザのユーザ属性とが対応付けられた属性テーブルと、
ユーザ属性と、配置設定情報とが対応付けられた第二のテーブルと、を有し、
前記選択部は、
ユーザの情報の入力と、配置設定情報の登録要求を受けたとき、
前記属性テーブルを参照して前記ユーザのユーザ属性を特定し、前記第二のテーブルを参照して、特定された前記ユーザ属性と対応する配置設定情報を選択し、
前記登録部は、
選択された前記配置設定情報を、入力された前記ユーザの情報と対応付けて、前記第一のテーブルに格納する請求項４記載の情報処理システム。
【請求項６】
前記ユーザ属性を示す情報は、ユーザの所属するグループを含み、
前記配置設定情報は、前記グループ毎に設定されており、
前記選択部は、
ユーザの情報の入力と、配置設定情報の登録要求を受けたとき、前記ユーザの情報に基づき前記ユーザの所属するグループを特定し、特定されたグループと対応する配置設定情報を選択する、請求項５記載の情報処理システム。
【請求項７】
前記ユーザ属性は、ユーザの所属するグループ及びユーザの役職を示す情報を含み、
前記選択部は、ユーザの情報の入力と、配置設定情報の登録要求を受けたとき、
前記属性テーブルを参照し、ユーザ属性が、前記ユーザの情報と対応するユーザ属性と一致するユーザの情報を特定し、
前記第一のテーブルを参照し、特定した前記ユーザの情報と対応する配置設定情報を選択する請求項５記載の情報処理システム。
【請求項８】
前記ユーザ属性は、前記ユーザの役職と、前記ユーザの前記本体装置において使用可能な機能を表す使用権限とを含み、
前記選択部は、ユーザの情報の入力と、配置設定情報の登録要求を受けたとき、
前記属性テーブルを参照し、ユーザ属性が、前記ユーザの情報と対応するユーザ属性と一致するユーザの情報を特定し、
前記第一のテーブルを参照し、特定した前記ユーザの情報と対応する配置設定情報を選択する請求項５記載の情報処理システム。
【請求項９】
前記情報処理装置と接続された他の情報処理装置に記憶されている配置設定情報を取得する取得部を有し、
前記取得部は、
前記他の情報処理装置から、ユーザ属性が、入力された前記ユーザのユーザ属性と一致する他のユーザの情報の一覧を取得し、
前記表示装置に表示された前記一覧において、選択された前記他のユーザの情報と対応する配置設定情報を前記他の情報処理装置から取得する請求項１乃至８の何れか一項に記載の情報処理システム。
【請求項１０】
前記情報処理装置と接続された他の情報処理装置に記憶されている配置設定情報を取得する取得部を有し、
前記取得部は、
入力された前記ユーザの情報と対応する配置設定情報が記憶された他の情報処理装置のうち、前記本体装置の有する機能と類似する機能を有する他の情報処理装置の名称の一覧を取得し、
前記表示装置に表示された前記一覧において、選択された前記名称の前記他の情報処理装置から前記配置設定情報を取得する請求項１乃至８の何れか一項に記載の情報処理システム。
【請求項１１】
前記表示部品は、前記本体装置の提供する機能と対応づけられており、
前記表示制御部は、
前記ユーザ属性において、使用権限を有する機能に対応する表示部品と、使用権限を有しない機能に対応する表示部品と、を異なる表示形態で表示させる、請求項１乃至１０のいずれか一項に記載の情報処理システム。
【請求項１２】
前記配置設定情報は、前記表示部品と対応する機能の使用実績を示す情報を含み、
前記表示制御部は、前記表示部品と、前記表示部品に対応する前記機能の使用実績を示す情報とを対応付けて表示させる、請求項１乃至１１のいずれか一項に記載の情報処理システム。
【請求項１３】
本体装置と通信を行う情報処理装置であって、
ユーザの情報の入力を受け付ける受け付け部と、
ユーザ属性に応じて設定された、複数の表示部品の配置順を示す配置設定情報を参照し、前記ユーザの情報に基づく前記配置設定情報を選択する選択部と、
選択された前記配置設定情報に応じた配置順で前記複数の表示部品が配置されており、前記複数の表示部品の配置の変更を受け付ける画面を表示装置に表示させる表示制御部と、を有する情報処理装置。
【請求項１４】
情報処理装置のプログラムであって、
ユーザの情報の入力を受け付けるステップと、
ユーザ属性に応じて設定された、複数の表示部品の配置順を示す配置設定情報を参照し、前記ユーザの情報に基づく前記配置設定情報を選択するステップと、
選択された前記配置設定情報に応じた配置順で前記複数の表示部品が配置されており、前記複数の表示部品の配置の変更を受け付ける画面を表示装置に表示させるステップと、を情報処理装置に実行させるプログラム。
【請求項１５】
ユーザの情報の入力を受け付ける受け付け部と、
ユーザ属性に応じて設定された、複数の表示部品の配置順を示す配置設定情報を参照し、前記ユーザの情報に基づく前記配置設定情報を選択する選択部と、
選択された前記配置設定情報に応じた配置順で前記複数の表示部品が配置されており、前記複数の表示部品の配置の変更を受け付ける画面を表示装置に表示させる表示制御部と、を有する画像処理装置。
【発明の詳細な説明】
【技術分野】
【０００１】
本発明は、情報処理システム、情報処理装置、プログラム及び画像処理装置に関する。
【背景技術】
【０００２】
従来の画像処理装置等では、タッチパネル等に表示された画面において、設定項目と対応した表示部品を操作することで各種の設定を行うことが知られている（例えば、特許文献１）。また、画面に表示された表示部品の配置が設定により変更されることが、知られている。
【発明の概要】
【発明が解決しようとする課題】
【０００３】
従来では、ユーザの使用形態等に応じた表示部品の配置を設定する場合、ユーザ毎に使用できる機能や、使用頻度の高い機能等が異なるため、ユーザ毎の設定の作業が煩雑であった。
【０００４】
開示の技術は、簡易な手順で表示画面の設定を行うことを目的とするものである。
【課題を解決するための手段】
【０００５】
開示の技術は、情報処理装置と、前記情報処理装置と通信を行う本体装置と、を有する情報処理システムであって、ユーザの情報の入力を受け付ける受け付け部と、ユーザ属性に応じて設定された、複数の表示部品の配置順を示す配置設定情報を参照し、前記ユーザの情報に基づく前記配置設定情報を選択する選択部と、選択された前記配置設定情報に応じた配置順で前記複数の表示部品が配置されており、前記複数の表示部品の配置の変更を受け付ける画面を表示装置に表示させる表示制御部と、を有する情報処理システムが提供される。
【発明の効果】
【０００６】
開示の技術によれば、簡易な手順で表示画面の設定を行うことができる。
【図面の簡単な説明】
【０００７】
【図１】第一の実施形態のホーム画面を説明する図である。
【図２】第一の実施形態のトップ画面の一例を示す図である。
【図３】第一の実施形態の表示部品の配置の変更一例を示す図である。
【図４】第一の実施形態の画像処理装置のハードウェア構成の一例を示す図である。
【図５】第一の実施形態の画像処理装置の操作装置及び本体装置に含まれるプログラム群の階層構造の一例を示す図である。
【図６】第一の実施形態の操作装置の機能構成を説明する図である。
【図７】第一の実施形態のコピー処理部の機能構成を説明する図である。
【図８】第一の実施形態の表示部品テーブルの一例を示す図である。
【図９】第一の実施形態のユーザ所属テーブルの一例を示す図である。
【図１０】第一の実施形態の所属グループ設定テーブルの一例を示す図である。
【図１１】第一の実施形態のユーザ設定テーブルの一例を示す図である。
【図１２】第一の実施形態の表示部品の配置順の一例を示す図である。
【図１３】第一の実施形態の表示制御処理部の動作を説明する第一のフローチャートである。
【図１４】第一の実施形態の表示制御処理部の動作を説明する第二のフローチャートである。
【図１５】第一の実施形態のアドレス帳アプリケーションの一例を示す図である。
【図１６】第一の実施形態のユーザ情報設定画面の一例を示す図である。
【図１７】第一の実施形態のユーザ権限設定画面の一例を示す図である。
【図１８】第一の実施形態の表示制御処理部の動作を説明する第三のフローチャートである。
【図１９】第一の実施形態の表示部品の配置決定画面の一例を示す図である。
【図２０】第二の実施形態のコピー処理部の機能構成を説明する図である。
【図２１】第二の実施形態の所属グループ設定テーブルの一例を示す図である。
【図２２】第二の実施形態のユーザ設定テーブルの一例を示す図である。
【図２３】第二の実施形態の表示制御処理部の動作を説明するフローチャートである。
【図２４】第二の実施形態のユーザ属性の選択画面の一例を示す図である。
【図２５】第二の実施形態のトップ画面の一例を示す図である。
【図２６】第三の実施形態のネットワーク構成を示す図である。
【図２７】第三の実施形態のユーザ属性の選択画面の一例を示す図である。
【図２８】第三の実施形態のコピー処理部４００の機能構成を説明する図である。
【図２９】第三の実施形態の機器能力テーブルの一例を示す図である。
【図３０】第三の実施形態の表示制御処理部の動作を説明する第一のフローチャートである。
【図３１】第三の実施形態の類似ユーザの選択画面の一例を示す図である。
【図３２】第三の実施形態の表示制御処理部の動作を説明する第二のフローチャートである。
【図３３】第三の実施形態の類似ユーザの選択画面の一例を示す図である。
【発明を実施するための形態】
【０００８】
（第一の実施形態）
以下に図面を参照して第一の実施形態について説明する。図１は、第一の実施形態のホーム画面を説明する図である。
【０００９】
図１に示すホーム画面１は、本実施形態の画像処理装置の有する操作装置の操作パネル等に表示される。本実施形態のホーム画面１は、画像処理装置の有する機能を実現するアプリケーションに対応する表示部品（アイコン）１１〜１５が表示される。
【００１０】
図１に示すホーム画面１は、画像処理装置において、ユーザのユーザ情報が入力され、ログイン処理が行われた後に表示される。図１では、ユーザＡのログイン処理が行われたことによりホーム画面１が表示された様子を示している。
【００１１】
本実施形態では、ホーム画面１は、ホーム画面用の画像を操作装置の操作パネルに表示させたものであり、表示部品１１〜１５は、ホーム画面用の画像に含まれる画像である。
【００１２】
表示部品１１は、コピー機能を実現するコピーアプリケーションに対応し、表示部品１２は、スキャン機能を実現するスキャンアプリケーションに対応し、表示部品１３は、ＦＡＸ機能を実現するＦＡＸアプリケーションに対応し、表示部品１４は、プリンタ機能を実現するプリンタアプリケーションに対応し、表示部品１５は、画像処理装置に登録されているユーザのアドレス管理機能を実現するアドレス帳アプリケーションに対応する。
【００１３】
ホーム画面１には、その他のアプリケーション、例えばドキュメントボックス等に対応する表示部品が表示されてもよい。
【００１４】
本実施形態の画像処理装置では、ホーム画面１において表示部品が選択されると、選択されたアプリケーションのトップ画面が表示される。トップ画面とは、各アプリケーションに対する設定項目と対応した設定用の表示部品が表示される画面である。
【００１５】
図２を用いて、ホーム画面１において、選択されたアプリケーションのトップ画面が表示された場合の画面について説明する。図２は、第一の実施形態のトップ画面の一例を示す図である。画像処理装置は、トップ画面から、アプリケーションに対する設定項目と対応した表示部品の配置順の変更を受け付ける。
【００１６】
画像処理装置のアプリケーションの各機能の使用の頻度や、使用の仕方等の使用形態は、ユーザの所属等の属性により、共通性を有すると想定される。例えば、総務部の社員は、会議の準備等のため頻繁に、原稿を複数部コピーするといった傾向があると想定される。この場合には、設定項目「部数」に対する設定値が頻繁に変更される。
【００１７】
したがって、例えば頻繁に原稿を複数部コピーするユーザにとっては、設定項目「部数」の設定を行うための表示部品は、トップ画面において、認識しやすい位置に配置されることが好ましいと言える。
【００１８】
そこで、本実施形態の画像処理装置では、ホーム画面１においてアプリケーションの選択を受け付けた場合、ユーザ属性に応じて表示部品が配置されたトップ画面を表示させる。
【００１９】
具体的には、本実施形態の画像処理装置は、ユーザ属性に応じて設定された表示部品の配置順を示す配置設定情報から、入力されたユーザの情報に基づき配置設定情報を選択し、選択された配置設定情報に応じた配置順で表示部品を表示させる。
【００２０】
尚、ここではユーザ属性を、ユーザが所属する部署としたが、これに限定されない。ユーザ属性の詳細については後述する。
【００２１】
また、本実施形態の画像処理装置は、ユーザ毎に各アプリケーションの使用時の表示部品の配置順を変更可能なようにトップ画面を表示させる。したがって、本実施形態の画像処理装置は、ログイン時に表示されたトップ画面における表示部品の配置順を、ユーザのアプリケーションの各機能の使用形態に応じた表示部品の配置順に変更することができる。
【００２２】
例えば、使用の頻度が高い機能に対応する表示部品を前方に表示し、使用の頻度が低い機能に対応する表示部品を後方に表示するといった調整をすることが可能である。
【００２３】
尚、使用頻度が高い機能とは、言い換えれば、設定値が変更される頻度が高い設定項目であり、使用頻度が低い機能とは、言い換えれば、設定値が変更される頻度が低い設定項目である。
【００２４】
図２の（Ａ）に示す画面は、コピーアプリケーションのトップ画面２である。トップ画面２は、ホーム画面１において、表示部品１１が選択された場合に表示される。図２の（Ｂ）に示す画面は、スキャンアプリケーションのトップ画面２Ａである。トップ画面２Ａは、ホーム画面１において、表示部品１２が選択された場合に表示される。
【００２５】
トップ画面２は、コピーアプリケーションの設定項目と対応付けられた表示部品２１〜３１を含む。例えば、表示部品２１は、コピーアプリケーションでの「カラーコピー」に関する各種設定を行うための表示部品である。コピーアプリケーションを使用するときに、ユーザから表示部品２１の選択を受け付けることにより、「カラーコピー」に関する各種設定を行うメニュー（詳細設定画面）を起動することができる。
【００２６】
同様に、トップ画面２Ａは、スキャンアプリケーションの提供する機能に対応付けられた表示部品３３〜４０を含む。
【００２７】
また、画像処理装置は、全ての表示部品が操作パネル等の一画面上に表示させることができない場合、操作パネル等にスクロール等の操作を受け付け、一画面上に表示されていない表示部品を表示させることができる。
【００２８】
図２の（Ａ）に示すトップ画面２は、ログイン中のユーザＡが、総務部の所属の場合を示しており、総務部の社員用に予め定められた（デフォルト）配置順で、コピーアプリケーションの各機能に対応する表示部品が配置されて、表示されている様子を示している。つまり、図２の（Ａ）のトップ画面２は、ユーザ属性である「総務部」と対応して予め設定された配置設定情報が示す配置順に基づき、コピーアプリケーションの表示部品が表示された例を示している。
【００２９】
また、図２の（Ｂ）に示すトップ画面２Ａでは、総務部の社員用に予め定められた（デフォルト）配置順で、スキャンアプリケーションの各機能に対応する表示部品が配置されて、表示されている様子を示している。つまり、図２の（Ｂ）のトップ画面３は、ユーザ属性である「総務部」と対応して予め設定された配置設定情報が示す配置順に基づき、スキャンアプリケーションの表示部品が表示された例を示している。
【００３０】
本実施形態では、トップ画面２、２Ａにおいて、決定ボタン４１が操作されると、各トップ画面に表示された表示部品の配置が決定される。また、本実施形態では、トップ画面２、３において、スタートボタン４２が操作された場合も、各トップ画面に表示された表示部品の配置が決定される。
【００３１】
このように、本実施形態の画像処理装置は、ユーザ属性に応じて選択された配置設定情報に基づく配置順で表示部品を配置したトップ画面を表示させることで、ユーザによる画像処理装置の使用形態が考慮されたトップ画面とすることができる。
【００３２】
さらに、本実施形態では、トップ画面において、表示部品の配置順の変更を受け付けた場合には、トップ画面における表示部品の配置順を、変更後の配置順とする。
【００３３】
このため、本実施形態によれば、ユーザが自身の使用形態に合わせて表示部品の配置順を設定したい場合には、自身の使用形態が考慮されたトップ画面に対して配置順を変更する設定を行えば良い。
【００３４】
したがって、本実施形態によれば、簡易な手順で表示画面の設定を行うことができる。
【００３５】
図３は、第一の実施形態の表示部品の配置の変更一例を示す図である。図３は、図２（Ｂ）に示すスキャンアプリケーションのトップ画面２Ａにおいて、表示部品が選択されて配置順が変更され、配置順が変更されたトップ画面３となる様子を示す図である。
【００３６】
図３の（Ａ）は、「カラースキャン」に対応する表示部品３３が選択され、トップ画面２Ａの右下方向に移動される様子を示している。
【００３７】
例えば、操作パネル上に表示された表示部品３３は、タッチ操作により選択され、スワイプ操作により移動される。
【００３８】
図３の（Ｂ）は、表示部品３３が移動されたことにより、表示部品の配置順が変更されたトップ画面３を示している。
【００３９】
本実施形態の画像処理装置は、表示部品の配置順の変更後に、決定ボタン４１の選択を受け付けると、変更後のスキャンアプリケーションの配置設定情報を記憶する。また、画像処理装置は、コピーアプリケーション等についても同様の手順により、変更後の配置設定情報を記憶する。
【００４０】
以降、ユーザＡが、画像処理装置のアプリケーションを使用するときには、画像処理装置は、記憶されている配置設定情報に従って表示部品を表示させる。
【００４１】
上述した表示部品の変更方法によれば、ユーザ属性に応じた配置設定情報が選択されているため、ユーザの使用形態にある程度合致した表示順で表示部品が表示される可能性が高い。すなわち、本実施形態の画像処理装置は、選択された配置設定情報に基づく配置順からユーザに表示部品を調整させるため、ユーザ属性が考慮されていない配置順からユーザに調整させるよりも簡単に、使用形態に合致した配置順を設定させることができる。
【００４２】
以下に、本実施形態の画像処理装置について説明する。図４は、第一の実施形態の画像処理装置のハードウェア構成の一例を示す図である。
【００４３】
本実施形態の画像処理装置１００は、複合機等のＭＦＰであり、例えば、コピー機能、スキャン機能、ＦＡＸ機能、プリンタ機能等の画像処理機能を有している。
【００４４】
図４に示すように、画像処理装置１００は、操作装置２００及び本体装置３００を有している。
【００４５】
操作装置２００は、本体装置３００に実行させる画像処理機能の選択、画像処理機能を実行させるための各種設定値の入力、画像処理機能の実行を開始させるための実行指示の入力、表示画面の切り替え等、ユーザが各種操作を行う際に用いられる。
【００４６】
本体装置３００は、操作装置２００におけるユーザの各種操作に応じて、画像処理機能の実行等の各種の処理を実行する。また、本体装置３００は、操作装置２００に対して、各種のメッセージを表示させるための要求を行う画像処理装置の一種である。
【００４７】
本実施形態の操作装置２００は、ＣＰＵ（Central Processing Unit）２０１、ＲＯＭ（Read Only Memory）２０２、及びＲＡＭ（Random Access Memory）２０３を有している。また、操作装置２００は、フラッシュメモリ２０４、操作パネル２０５、接続Ｉ／Ｆ２０６、及び通信Ｉ／Ｆ２０７を有している。これら各ハードウェアは、バス２０８を介して相互に接続されている。
【００４８】
ＣＰＵ２０１は、ＲＡＭ２０３をワークエリアとしてＲＯＭ２０２又はフラッシュメモリ２０４に記憶された各種プログラムを実行することにより、操作装置２００全体を制御する演算装置である。
【００４９】
ＲＯＭ２０２は、電源を切ってもデータを保持することができる不揮発性の半導体メモリ（記憶装置）である。ＲＡＭ２０３は、ＯＳ（Operation System）、プログラムやデータを一時保存する揮発性の半導体メモリ（記憶装置）である。
【００５０】
フラッシュメモリ２０４は、不揮発性の記憶媒体であり、ＣＰＵ２０１が実行する各種プログラム（例えば、本実施形態を実現するプログラム）や各種データを記憶する。
【００５１】
操作パネル２０５は、タッチパネル等であり、ユーザが各種操作を行う際に用いられる。また、操作パネル２０５は、各種のメッセージを表示する。すなわち、操作パネル２０５は、例えば、画像処理装置１００の各種機能に対してユーザが各種操作を行うためのＧＵＩ（Graphical User Interface）表示画面や、画像処理装置１００の処理結果等の情報（エラーメッセージやガイダンスメッセージ等）を表示する。
【００５２】
接続Ｉ／Ｆ２０６は、通信路２０９を介して本体装置３００と通信するためのインタフェースである。接続Ｉ／Ｆ２０６には、例えば、ＵＳＢ（Universal Serial Bus）規格のインタフェースが用いられる。
【００５３】
通信Ｉ／Ｆ２０７は、他の機器等と通信するためのインタフェースである。通信Ｉ／Ｆ２０７は、例えば、Ｗｉ−Ｆｉ規格の無線ＬＡＮが用いられる。
【００５４】
本実施形態の本体装置３００は、ＣＰＵ３０１、ＲＯＭ３０２、及びＲＡＭ３０３を有している。また、本体装置３００は、ＨＤＤ（Hard Disk Drive）３０４、画像処理エンジン３０５、接続Ｉ／Ｆ３０６、及び通信Ｉ／Ｆ３０７を有している。これら各ハードウェアは、バス３０８を介して相互に接続されている。
【００５５】
ＣＰＵ３０１は、ＲＡＭ３０３をワークエリアとしてＲＯＭ３０２又はＨＤＤ３０４に記憶された各種プログラムを実行することにより、本体装置３００全体を制御する演算装置である。
【００５６】
ＲＯＭ３０２は、電源を切ってもデータを保持することができる不揮発性の半導体メモリ（記憶装置）である。ＲＡＭ３０３は、ＯＳ、プログラムやデータを一時保存する揮発性の半導体メモリ（記憶装置）である。
【００５７】
ＨＤＤ３０４は、不揮発性の記憶媒体であり、ＣＰＵ３０１が実行する各種プログラム（例えば、本実施形態を実現するプログラム）や各種データを記憶する。
【００５８】
画像処理エンジン３０５は、コピー機能、スキャン機能、ＦＡＸ機能、及びプリンタ機能等の各種の画像処理機能を実現するための画像処理を行うハードウェアである。
【００５９】
画像処理エンジン３０５には、例えば、原稿を光学的に読み取って画像データを生成するスキャナ、用紙等のシート材への印刷を行うプロッタ、及びＦＡＸ通信を行うＦＡＸ通信装置等が含まれる。また、画像処理エンジン３０５には、例えば、印刷済みのシート材を仕分けるフィニッシャや、原稿を自動給送するＡＤＦ（自動原稿給送装置）等が含まれていても良い。
【００６０】
接続Ｉ／Ｆ３０６は、通信路２０９を介して操作装置２００と通信するためのインタフェースである。接続Ｉ／Ｆ３０６には、例えば、ＵＳＢ規格のインタフェースが用いられる。
【００６１】
通信Ｉ／Ｆ３０７は、他の機器等と通信するためのインタフェースである。通信Ｉ／Ｆ３０７は、例えば、Ｗｉ−Ｆｉ規格の無線ＬＡＮが用いられる。
【００６２】
本実施形態の画像処理装置１００は、上記ハードウェア構成を有することにより、後述する各種処理を実現することができる。
【００６３】
尚、図４では、画像処理装置１００が操作装置２００を有している構成を一例として示したが、これに限定されない。操作装置２００は、例えば、タブレット端末、スマートフォン、携帯電話、ＰＤＡ等の情報処理端末であっても良い。すなわち、これらの情報処理端末は、操作装置２００の通信Ｉ／Ｆ２０７又は本体装置３００の通信Ｉ／Ｆ３０７を介して画像処理装置１００と通信することにより、当該画像処理装置１００を制御することができても良い。
【００６４】
次に、図５を参照して、画像処理装置１００の操作装置２００及び本体装置３００に含まれるプログラム群の階層構造について説明する。図５は、第一の実施形態の画像処理装置の操作装置及び本体装置に含まれるプログラム群の階層構造の一例を示す図である。
【００６５】
図５は、操作装置２００に含まれるプログラム群の階層構造、及び本体装置３００に含まれるプログラム群の階層構造を示している。
【００６６】
操作装置２００に含まれるプログラム群は、ＲＯＭ２０２、フラッシュメモリ２０４等に格納されている。本体装置３００に含まれるプログラム群は、ＲＯＭ３０２、ＨＤＤ３０４等に格納されている。
【００６７】
はじめに、本体装置３００に含まれるプログラム群の階層構造について説明する。本体装置３００に含まれるプログラム群は、アプリケーション層３１０、サービス層３２０、及びＯＳ層３３０に大別することができる。
【００６８】
アプリケーション層３１０に区分されるプログラムは、ハードウェア資源を動作させて画像処理機能を実現させるためのプログラムである。具体的には、コピーアプリケーション、スキャンアプリケーション、ＦＡＸアプリケーション、及びプリンタアプリケーション等が挙げられる。
【００６９】
サービス層３２０に区分されるプログラムは、アプリケーション層３１０とＯＳ層３３０との間に介在するプログラムである。当該プログラムは、本体装置３００が備えるハードウェア資源を、アプリケーション層３１０のプログラムが利用したり、本体装置３００が備えるハードウェア資源の状態を通知したりするインタフェースとしての役割を果たす。
【００７０】
具体的には、ハードウェア資源に対する動作要求を受け付けたり、受け付けた動作要求の調停を行ったりする。また、ハードウェア資源において検出されたエラーを、エラー情報として送信したりする。尚、サービス層３２０が受け付ける動作要求には、例えば、画像処理エンジン３０５による画像処理の動作要求（スキャナによる読み取り動作要求やプロッタによる印刷動作要求等）が含まれる。
【００７１】
尚、サービス層３２０に区分されるプログラムが果たすインタフェースとしての役割は、操作装置２００のアプリケーション層２１０に対しても同様である。すなわち、操作装置２００のアプリケーション層２１０に区分されるプログラムも、サービス層３２０にアクセスすることにより、本体装置３００のハードウェア資源を動作させて、画像処理機能を実現させることができる。
【００７２】
ＯＳ層３３０に区分されるプログラムは、基本ソフトウェアと呼ばれるプログラムであり、本体装置３００が有するハードウェア資源を制御する基本機能を提供する。ＯＳ層３３０に区分されるプログラムは、アプリケーション層３１０に区分されるプログラムからのハードウェア資源に対する動作要求を、サービス層３２０に区分されるプログラムを介して受け付けて、当該動作要求に応じた処理を実行する。また、ＯＳ層３３０に区分されるプログラムが実行されることにより、ハードウェア資源において検出されたエラーを受信し、エラー情報としてサービス層３２０に渡す。
【００７３】
次に、操作装置２００に含まれるプログラム群の階層構造について説明する。本体装置３００と同様に、操作装置２００に含まれるプログラム群も、アプリケーション層２１０、サービス層２２０、及びＯＳ層２３０に大別することができる。
【００７４】
ただし、アプリケーション層２１０に区分されるプログラムが提供する機能や、サービス層２２０が受け付け可能な動作要求の種類は、本体装置３００とは異なる。操作装置２００のアプリケーション層２１０に区分されるプログラムは、主として、各種操作や表示を行うためのユーザインタフェース機能を提供する。
【００７５】
尚、本実施形態では、操作装置２００と本体装置３００とで、ＯＳは独立して動作するものとする。また、操作装置２００と本体装置３００とが相互に通信可能であれば、ＯＳが同じ種類である必要はない、例えば、操作装置２００ではＯＳにＡｎｄｒｏｉｄ（登録商標）を用いる一方で、本体装置３００ではＯＳにＬｉｎｕｘ（登録商標）を用いることも可能である。
【００７６】
このように、画像処理装置１００では、操作装置２００と本体装置３００とを有するシステムとして、操作装置２００と本体装置３００が異なるＯＳにより制御されるため、操作装置２００と本体装置３００との間の通信は、一装置内のプロセス間通信ではなく、異なる情報処理装置間の通信として行われる。例えば、操作装置２００が受け付けたユーザの各種操作を示す操作情報を本体装置３００へ送信する動作や、本体装置３００が操作装置２００へ表示画面の表示を指示する表示要求を送信する動作が、これに該当する。
【００７７】
ただし、本実施形態の画像処理装置１００は、操作装置２００と本体装置３００とで異なる種類のＯＳが動作している場合に限られず、操作装置２００と本体装置３００とで同一種類のＯＳが動作していても良い。また、本実施形態の画像処理装置１００は、操作装置２００と本体装置３００とでＯＳが独立して動作している場合に限られず、操作装置２００及び本体装置３００上で一のＯＳが動作していても良い。
【００７８】
次に、図６を参照して本実施形態の操作装置２００の機能について説明する。図６は、第一の実施形態の操作装置の機能構成を説明する図である。
【００７９】
本実施形態の操作装置２００は、ＣＰＵ２０１がアプリケーション層２１０に含まれる各プログラム（アプリケーション）を実行することで実現される各処理部を有する。
【００８０】
例えば操作装置２００は、コピー処理部４００、スキャナ処理部５００、ＦＡＸ処理部６００、及びプリンタ処理部７５０等を有する。本実施形態のコピー処理部４００は、アプリケーション層２１０に含まれるコピーアプリケーションが実行されることで実現される。
【００８１】
同様に、本実施形態のコピー処理部４００、スキャナ処理部５００、ＦＡＸ処理部６００、及びプリンタ処理部等も、アプリケーション層２１０に含まれる各機能のアプリケーションが実行されることで実現される。以下では、コピー処理部４００の機能について説明するが、他のアプリケーションの処理部も同様の機能を有する。
【００８２】
本実施形態のコピー処理部４００は、表示制御処理部４１０、処理部４２０、及び記憶部４３０を有する。
【００８３】
表示制御処理部４１０は、コピーアプリケーションが起動されているときの、操作装置２００の操作パネル２０５の表示を制御する。処理部４２０は、操作パネル２０５で受け付けた操作の内容に応じて、本体装置３００へ各種の要求等を行う。
【００８４】
記憶部４３０は、表示部品テーブル４３１、ユーザ所属テーブル４３２、所属グループ設定テーブル４３３、及びユーザ設定テーブル４３４を記憶する。
【００８５】
表示部品テーブル４３１は、コピーアプリケーションの表示部品を管理するテーブルである。
【００８６】
ユーザ所属テーブル４３２は、ユーザ毎の所属グループ、役職、及び使用可能機能を管理するテーブルである。
【００８７】
所属グループ設定テーブル４３３は、所属グループのデフォルトの配置設定情報を管理するテーブルである。
【００８８】
ユーザ設定テーブル４３４は、ユーザの配置設定情報を管理するテーブルである。ユーザの配置設定情報は、登録部４１５の指示により登録される。
【００８９】
記憶部４３０が記憶する各テーブルは、表示制御処理部４１０、及び選択部４１４により参照される。また、記憶部４３０が記憶する各テーブルは、登録部４１５により、登録、更新、及び変更等の処理が行われる。各テーブルの詳細は後述する。
【００９０】
また、本実施形態の記憶部４３０には、各表示部品や各設定部品の画像が格納されていても良い。
【００９１】
次に、本実施形態のコピー処理部４００について説明する。図７は、第一の実施形態のコピー処理部の機能構成を説明する図である。
【００９２】
本実施形態のコピー処理部４００の表示制御処理部４１０は、入力受付部４１１、接触位置検知部４１２、表示制御部４１３、選択部４１４、登録部４１５、及び要求出力部４１６を有する。
【００９３】
入力受付部４１１は、操作装置２００に対する入力を受け付ける。具体的には、入力受付部４１１は、操作パネル２０５に表示されたトップ画面等に対する接触や、操作装置２００の有する、表示部品等の操作部材に対する操作を検知する。
【００９４】
入力受付部４１１は、ユーザからの操作装置２００に対するログインの要求を受け付ける。具体的には、ユーザからユーザの識別子（ユーザＩＤ）、及びパスワード等の入力を受け付ける。また、入力受付部４１１は、ユーザからの操作装置２００に対する配置設定情報の登録の指示を受け付け、登録部４１５に通知する。
【００９５】
接触位置検知部４１２は、操作パネル２０５に対する接触を受けて、接触された位置を検知する。具体的には、接触位置検知部４１２は、トップ画面に対する操作を受け付けたとき、操作パネル２０５において操作を受け付けた位置、すなわち、ユーザにより接触された位置を検知する。接触位置検知部４１２により検知された位置に基づき、トップ画面において、どの表示部品に対して操作が行われたかが判定される。
【００９６】
また、接触位置検知部４１２は、ユーザによる表示部品の配置順の変更を検知する。具体的には、接触位置検知部４１２は、ユーザに選択された表示部品の配置順の変更を検知し、表示制御部４１３、及び登録部４１５に通知する。また、接触位置検知部４１２は、ユーザによる表示部品の設定値の変更を検知し、表示制御部４１３、及び登録部４１５に通知してもよい。
【００９７】
表示制御部４１３は、記憶部４３０が記憶する各テーブルに基づき、各設定項目に対応した表示部品を含むトップ画面を表示させる。具体的には、表示制御部４１３は、入力受付部４１１が受け付けたユーザＩＤを取得し、取得したユーザＩＤに対応して特定された配置設定情報に示される配置順に従って、トップ画面に表示部品を表示させる。
【００９８】
また、表示制御部４１３は、接触位置検知部４１２が検知した表示部品の配置順の変更の通知を受けて、表示部品の配置順の変更を反映したトップ画面を表示させる。
【００９９】
選択部４１４は、入力受付部４１１から入力されたユーザＩＤ等に基づき、ユーザ所属テーブル４３２を参照し、ユーザ属性を特定する。そして、選択部４１４は、所属グループ設定テーブル４３３を参照し、特定されたユーザ属性にあった配置設定情報を選択する。また、選択部４１４は、選択した配置設定情報を、表示制御部４１３に表示するように指示する。ユーザ属性を特定する処理及び配置設定情報を選択する処理については後述する。
【０１００】
登録部４１５は、入力受付部４１１による登録の指示の受け付けに応じて、選択部４１４が選択した配置設定情報を、記憶部４３０のユーザ設定テーブル４３４に登録（格納）する。また、接触位置検知部４１２が、表示部品の配置順や設定値の変更を検知した場合、登録部４１５は、配置順の変更に基づいて、ユーザ設定テーブル４３４に格納された配置設定情報を更新する。
【０１０１】
要求出力部４１６は、操作パネル２０５に表示されたトップ画面等において受け付けた各種操作に対応した要求を処理部４２０に出力する。
【０１０２】
本実施形態の処理部４２０は、設定要求部４２１、及び印刷要求部４２２を有する。設定要求部４２１は、表示制御処理部４１０の要求出力部４１６から、設定項目の対する値の設定が要求されたとき、本体装置３００に対して設定要求を行う。印刷要求部４２２は、要求出力部４１６から、印刷を要求されたとき、本体装置３００に対して印刷要求を行う。
【０１０３】
以下に、記憶部４３０が記憶する各テーブルについて説明する。図８は、第一の実施形態の表示部品テーブルの一例を示す図である。
【０１０４】
表示部品テーブル４３１は、情報の項目として、アプリケーションの識別子（アプリケーションＩＤ）、アプリケーション名、表示部品の識別子（表示部品ＩＤ）、表示部品名、及び設定値の設定可能な範囲が記憶されている。
【０１０５】
アプリケーションＩＤはコピーアプリケーションを表す「００１」が設定され、アプリケーション名には「コピー」が設定されている。
【０１０６】
表示部品ＩＤは、表示部品名、及び設定値の範囲と対応している。例えば、表示部品ＩＤ「４」は、「ステープル」を表し、設定値は、「０（しない）」、「１（左上）」、「２（左下）」、及び「３（左上斜め）」等のいずれかを設定可能である。
【０１０７】
表示部品テーブル４３１の各項目の値は、画像処理装置１００に予め設定されていることが想定される。
【０１０８】
図９は、第一の実施形態のユーザ所属テーブルの一例を示す図である。
【０１０９】
ユーザ所属テーブル４３２は、情報の項目として、ユーザＩＤ、ユーザ名、所属グループ、役職、及び使用可能機能を有し、これらの情報の項目は、対応付けられて記憶される。以下の説明では、ユーザ所属テーブル４３２において対応付けられた各項目の値を含む情報をユーザ情報と呼ぶ。また、本実施形態のユーザ情報において、所属グループ、役職、及び使用可能機能の値は、ユーザ属性を示す情報である。
【０１１０】
例えばユーザＩＤ「００２」には、「ユーザＢ」の情報が記憶されており、所属が「設計部」、役職が「一般」となっている。
【０１１１】
本実施形態では、画像処理装置１００においてユーザ情報を登録する操作が行われると、ユーザ所属テーブル４３２に、ユーザ情報が記憶される。
【０１１２】
尚、ユーザ情報は、役職の代わりにユーザの職位（ランク）を含んでもよい。ユーザの役職や職位は、組織内における権限の大きさを示す情報であり、上位の役職や職位程、権限は大きくなる。以下では、ユーザ情報に役職が含まれ、各種処理に用いられる場合について説明するが、ユーザ情報には職位や、権限が含まれる場合でも、同様の処理が可能なことは勿論である。
【０１１３】
図１０は、第一の実施形態の所属グループ設定テーブルの一例を示す図である。
【０１１４】
所属グループ設定テーブル４３３には、所属グループ毎に予め定められたデフォルト配置設定情報（デフォルトの配置設定情報）が記憶されている。所属グループ設定テーブル４３３は、情報の項目として、アプリケーションＩＤ、アプリケーション名、所属ＩＤ、所属グループ名、及び配置設定情報を有する。アプリケーションＩＤは、コピーアプリケーションを表す「００１」が設定され、アプリケーション名には「コピー」が設定されている。
【０１１５】
また、所属グループ設定テーブル４３３には、所属グループＩＤ、所属グループ名、及び配置設定情報が対応付けられて記憶されている。例えば、所属グループＩＤ「００１」と、「総務部」のデフォルトの配置設定情報とが対応付けられて記憶されている。
【０１１６】
配置設定情報は、表示部品の配置順と、表示部品ＩＤと、表示部品の設定値とが対応付けられている。例えば、「総務部」のデフォルトの配置設定情報では、１番の配置（「１」）に、表示部品ＩＤ「３」の「色」に関する表示部品が表示され、「色」の設定値は「ＸＸＸ」であることを表している。尚、「ＸＸＸ」には、「モノクロ」、又は「カラー」等を表す設定値である。
【０１１７】
所属グループ毎の配置設定情報は、画像処理装置１００の管理者等により予め設定されることが想定される。
【０１１８】
図１０に示す所属グループ設定テーブル４３３では、所属グループ毎に１つのデフォルトの配置設定情報が設定されているが、所属グループ毎に複数の配置設定情報が設定されてもよい。例えば、役職に応じて配置設定情報が設定されてもよい。役職に応じた配置設定情報が設定されることにより、役職に応じたデフォルトの使用権限を設定することもできる。
【０１１９】
図１１は、第一の実施形態のユーザ設定テーブルの一例を示す図である。
【０１２０】
ユーザ設定テーブル４３４には、ユーザ毎の配置設定情報が記憶されている。ユーザ設定テーブル４３４は、情報の項目として、アプリケーションＩＤ、アプリケーション名、ユーザＩＤ、ユーザ名、及び配置設定情報を有する。アプリケーションＩＤにはコピーアプリケーションを表す「００１」が設定され、アプリケーション名には「コピー」が設定されている。
【０１２１】
また、ユーザ設定テーブル４３４には、ユーザＩＤ、ユーザ名、及び配置設定情報が対応付けられて記憶されている。以下の説明では、ユーザ設定テーブル４３４において、各項目の値を含む情報をユーザ設定情報と呼ぶ。すなわち、ユーザ設定情報は、ユーザＩＤとユーザ名に対応付けられた配置設定情報である。
【０１２２】
本実施形態の配置設定情報は、表示部品の配置順と、表示部品を識別する表示部品ＩＤと、表示部品と対応する設定項目に設定されている設定値とを含む情報である。
【０１２３】
本実施形態では、配置設定情報において、配置順「１」と対応付けられた表示部品ＩＤで特定される表示部品は、操作パネル２０５の上段、左側の表示領域に表示される。また、配置設定情報において、配置順「２」と対応付けられた表示部品ＩＤで特定される表示部品は、操作パネル２０５の上段、中央に表示される。
【０１２４】
以上のように、本実施形態では、表示部品は、操作パネル２０５の上段の左隅から、右方向に順番に並べられ、表示部品が右隅まで並べられると、一段下がり再び左から、右方向に順番に並べられるものとした。
【０１２５】
登録部４１５は、表示制御部４１３により表示された配置設定情報に対する登録の指示を受け付けたことに応じて、ユーザＩＤとユーザ名とを配置設定情報と対応付けたユーザ設定情報として記憶部４３０のユーザ設定テーブル４３４に登録する。
【０１２６】
また、登録部４１５は、配置設定情報が変更された場合、対応する配置設定情報の変更をユーザ設定テーブル４３４に反映させる。
【０１２７】
尚、表示部品の数や、設定値の範囲については上述した実施形態に限定されないことは勿論である。アプリケーションの有する機能の数や種類によって、表示部品の数、及び設定値の範囲は適宜調整される。
【０１２８】
図１２は、第一の実施形態の表示部品の配置順の一例を示す図である。表示部品の配置順は、配置設定情報において定められており、表示制御部４１３は、取得した配置設定情報に示される配置順にしたがって表示部品を表示させる。
【０１２９】
図１２の（Ａ）は、配置設定情報に示される表示部品の配置順の一例を示す図である。
【０１３０】
図１２（Ａ）では、ユーザ設定テーブル４３４におけるユーザＡと対応する配置設定情報に示される配置順にしたがって、表示部品が配置された画面の例を示している。
【０１３１】
ユーザＡと対応する配置設定情報では、配置順「１」が表示部品ＩＤ「３」、配置順「２」が表示部品ＩＤ「４」、配置順「３」が表示部品ＩＤ「５」と対応付けられている（図１１参照）。したがって、図１２（Ａ）の例では、最上段の左隅から順に、表示部品ＩＤ「３」の表示部品、表示部品ＩＤ「４」の表示部品、表示部品ＩＤ「５」の表示部品が配置される。
【０１３２】
また、図１２の（Ｂ）では、ユーザ設定テーブル４３４におけるユーザＣと対応する配置設定情報に示される配置順にしたがって、表示部品が配置された画面の例を示している。
【０１３３】
ユーザＣと対応する配置設定情報では、配置順「１」が表示部品ＩＤ「５」、配置順「２」が表示部品ＩＤ「６」、配置順「３」が表示部品ＩＤ「１」と対応付けられている（図１１参照）。したがって、図１２（Ｂ）の例では、最上段の左隅から順に、表示部品ＩＤ「５」の表示部品、表示部品ＩＤ「６」の表示部品、表示部品ＩＤ「１」の表示部品が配置される。
【０１３４】
以上のように、本実施形態では、ユーザ毎の配置設定情報に基づく配置順に並べられた表示部品が表示される。
【０１３５】
尚、本実施形態では、配置設定情報において表示部品ＩＤと対応付けられた設定値が表示部品が表示された表示領域の中に表示されても良い。
【０１３６】
次に、図１３を用いて本実施形態の表示制御処理部４１０の動作について説明する。図１３では、ユーザ設定テーブル４３４に、配置設定情報とユーザＩＤとが対応付けられたユーザ設定情報が既に格納されていた場合において、ユーザが画像処理装置１００を使用する場合の処理である。言い換えれば、図１３の処理は、ユーザが、このユーザと対応する配置設定情報が登録された画像処理装置１００を使用する場合を想定した処理である。
【０１３７】
図１３は、第一の実施形態の表示制御処理部の動作を説明する第一のフローチャートである。
【０１３８】
本実施形態の表示制御処理部４１０は、入力受付部４１１により、ユーザからのログイン要求を受け付ける（ステップＳ１３０１）。具体的には、入力受付部４１１は、少なくともユーザＩＤの入力を受け付けたとき、ログインの要求を受け付けたものとしても良い。
【０１３９】
次に、表示制御処理部４１０は、表示制御部４１３により、入力受付部４１１からユーザのログインの通知を受け付け、操作パネル２０５にホーム画面を表示させる（ステップＳ１３０２）。
【０１４０】
続いて、入力受付部４１１は、ホーム画面においてアプリケーションの選択を受け付ける（ステップＳ１３０３）。
【０１４１】
入力受付部４１１は、アプリケーションの選択を受け付けると、表示制御処理部４１０は、選択部４１４により、記憶部４３０のユーザ設定テーブル４３４を参照し、入力されたユーザＩＤと対応する配置設定情報を選択する（ステップＳ１３０４）。
【０１４２】
続いて、表示制御部４１３は、選択された配置設定情報に含まれる表示部品の配置順に従って表示部品が配置されたトップ画面を表示させる（ステップＳ１３０５）。ここで表示されるトップ画面では、表示部品は、配置順を変更可能な状態で表示される。
【０１４３】
次に、表示制御処理部４１０は、接触位置検知部４１２により、トップ画面において表示部品の配置順の変更、つまり表示部品のレイアウトの変更を、所定時間内に検知したか否かを判定する（ステップＳ１３０６）。接触位置検知部４１２が、所定時間内に配置順の変更を受け付けた場合（ステップＳ１３０６  ＹＥＳ）、ステップＳ１３０７に進む。一方、接触位置検知部４１２が、所定時間内に配置順の変更を受け付けなかった場合（ステップＳ１３０６  ＮＯ）、表示制御処理部４１０は、後述するステップＳ１３０８へ進む。
【０１４４】
接触位置検知部４１２が、表示部品の配置順の変更を検知した場合、表示制御部４１３は、トップ画面において、表示部品の配置順を変更後の配置順に変更し（ステップＳ１３０７）、ステップＳ１３０６へ戻る。
【０１４５】
ステップＳ１３０６において、所定時間内に配置順の変更を受け付けなかった場合、登録部４１５は、トップ画面に表示されている表示部品の配置順が、ステップＳ１３０４で選択された配置設定情報に基づく配置順と変更されているか否かを判定する（ステップＳ１３０８）。
【０１４６】
ステップＳ１３０８において、変更されている場合、表示制御処理部４１０は、登録部４１５により、ユーザ設定テーブル４３４における対応する配置設定情報に変更を反映させ（ステップＳ１３０９）、処理を終了する。
【０１４７】
ステップＳ１３０８において、変更されていない場合、表示制御処理部４１０は、処理を終了する。
【０１４８】
以下に、所定時間内に配置順の変更を受け付けなかった場合について説明する。本実施形態において所定時間内に配置順の変更を受け付けなかった場合とは、例えばトップ画面において決定ボタンが操作された場合や、アプリケーションによる処理の実行を指示するスタートボタンが操作された場合である。
【０１４９】
具体的には、例えば図２や図３に示すトップ画面２、２Ａ、３において、決定ボタン４１が押下された場合、入力受付部４１１は、変更後の表示部品の配置順の決定の指示を受け付けたと判定する。
また、図２に示すトップ画面２において、スタートボタン４２が押下され、コピーアプリケーションの処理が実行された場合、入力受付部４１１は、表示部品の配置順の登録を受け付けたと判定してもよい。変更後の表示部品の配置順でスタートボタン４２を押下された場合、変更後の配置順で登録することが決定されたと判定できるためである。
【０１５０】
以上のように、本実施形態によれば、ユーザ属性に応じた配置設定情報に基づく配置順で表示部品が表示されるため、ユーザの使用形態にある程度合致した配置順で表示部品を表示させることが可能となる。このため、本実施形態によれば、ユーザ属性が考慮されていない配置順から、ユーザに調整させるよりも簡単に、使用形態に合致した配置順を設定することができる。
【０１５１】
次に、本実施形態の表示制御処理部４１０の配置設定情報の登録の動作について説明する。
【０１５２】
配置設定情報の登録は、例えば画像処理装置１００の管理者等により行われる。配置設定情報の登録とは、ユーザ所属テーブル４３２に対するユーザ情報の登録と、ユーザ設定テーブル４３４に対するユーザ設定情報の登録とを含む。
【０１５３】
図１４は、第一の実施形態の表示制御処理部の動作を説明する第二のフローチャートである。図１４では、ユーザ所属テーブル４３２にユーザ情報を登録する処理を示している。
【０１５４】
本実施形態の表示制御処理部４１０は、入力受付部４１１により、ホーム画面１で「アドレス帳」の表示部品１５の選択を受け付ける（ステップＳ１４０１）。「アドレス帳」の表示部品１５は、例えば、図１に示すようにホーム画面１に表示される。
【０１５５】
次に、表示制御処理部４１０は、表示制御部４１３は、表示部品１５が選択されたことに応じて、後述するアドレス帳アプリケーションのトップ画面４を表示させる（ステップＳ１４０２）。
【０１５６】
続いて、入力受付部４１１は、トップ画面４の「新規登録」の表示部品４５の選択を受け付ける（ステップＳ１４０３）。
【０１５７】
そして、表示制御部４１３は、表示部品４５の選択の受け付けに応じて、後述するユーザ情報設定画面５を表示させる（ステップＳ１４０４）。
【０１５８】
入力受付部４１１は、ユーザ情報設定画面５から、ユーザ名、所属グループ、及び役職の入力を受け付ける（ステップＳ１４０５）。
【０１５９】
次に、表示制御部４１３は、入力受付部４１１により、ユーザ情報設定画面５において「次ページへ」の表示部品５４の選択を受け付けると、ユーザ情報設定画面５から後述するユーザ権限設定画面６へ画面を遷移させる（ステップＳ１４０６）。
【０１６０】
入力受付部４１１は、ユーザ権限設定画面６から、各アプリケーションの使用可能な機能の設定を受け付ける（ステップＳ１４０７）。
【０１６１】
続いて、入力受付部４１１が、「決定」の表示部品６４の選択を受けると、登録部４１５は、ユーザ情報設定画面５で入力された情報と、ユーザ権限設定画面６で入力された情報とを対応付けたユーザ情報として、記憶部４３０のユーザ所属テーブル４３２に記憶させ（ステップＳ１４０８）、処理を終了する。
【０１６２】
次に、図１５乃至図１７を用いて、図１４のフローチャートに示す動作が実行されたときの画面遷移について説明する。
【０１６３】
図１５は、ステップＳ１４０２で表示されるアドレス帳アプリケーションの表示の一例を示す図である。表示制御部４１３は、「新規登録」の表示部品４５の選択を受け付けたことに応じて、ユーザ情報設定画面５を表示させる。
【０１６４】
図１６は、ステップＳ１４０４で表示されるユーザ情報設定画面の一例を示す図である。図１６では、ユーザ情報設定画面５において登録ユーザ名に「ユーザＡ」と設定され、所属グループに「総務」ボタン５２が選択されて総務と設定され、役職に「管理職」ボタン５３が選択されて管理職と設定されている様子を示している。
【０１６５】
図１７は、ステップＳ１４０６で表示されるユーザ権限設定画面の一例を示す図である。図１７では、ユーザ権限設定画面６においてコピーアプリケーションの使用できる機能として「フルカラー６１」が選択され、プリンタの使用できる機能として「白黒６２」が選択され、その他のアプリケーションとして「スキャナ６３」が使用できる機能として選択されている様子を示している。
【０１６６】
次に、図１８を用いて本実施形態の表示制御処理部４１０による、ユーザ設定テーブル４３４に対するユーザ設定情報の登録の動作について説明する。図１８は、第一の実施形態の表示制御処理部の動作を説明する第三のフローチャートである。
【０１６７】
本実施形態では、ステップＳ１４０７で、ユーザ所属テーブル４３２にユーザ情報が記憶された後に、各アプリケーションにおける表示部品の配置順の設定等が行われる。
【０１６８】
尚、図１８で示す処理は、図１４の後に続けて実行されても良いし、図１４の処理が一度終了した後に、別のタイミングで実行されても良い。以下に、表示部品の配置順を設定する処理について説明する。
【０１６９】
入力受付部４１１は、アプリケーションの選択を受け付ける（ステップＳ１８０１）。尚本実施形態では、例えばホーム画面において、配置設定情報の登録画面へ表示を遷移させる表示部品が表示されていても良い。本実施形態の配置設定情報の登録画面では、例えば設定される配置設定情報と対応付けられるユーザＩＤの選択欄と、配置設定情報が設定されるアプリケーションの選択欄とが表示されても良い。
【０１７０】
本実施形態のステップＳ１８０１では、入力受付部４１１は、配置設定情報が設定されるアプリケーションと共に、設定される配置設定情報と対応付けられるユーザＩＤが選択されて、配置設定情報の登録要求を受け付けても良い。
【０１７１】
次に、表示制御処理部４１０は、アプリケーションの選択を受け付けると、選択部４１４により、ユーザ所属テーブル４３２を参照し、選択されたユーザＩＤと対応する所属グループを特定する（ステップＳ１８０２）。ここでは、選択されたユーザＩＤは、ユーザＡのユーザＩＤ「００１」とする。この場合、選択部４１４は、ユーザＡの所属グループが「総務部」であることを特定する。
【０１７２】
続いて、選択部４１４は、所属グループ設定テーブル４３３から、総務部のデフォルトの配置設定情報を取得し、表示制御部４１３に、総務部のデフォルトの配置設定情報に基づいて、表示部品を表示させることを指示する（ステップＳ１８０３）。
【０１７３】
表示制御処理部４１０は、表示制御部４１３により、総務部のデフォルトの配置設定情報に基づいて、表示部品を表示させる（ステップＳ１８０４）。
【０１７４】
ステップＳ１８０４において、入力受付部４１１は、所定時間内に表示部品の配置順の変更を受け付けたか否かを判定する（ステップＳ１８０５）。
【０１７５】
ステップＳ１８０５において、所定時間内に変更を受け付けた場合、表示制御部４１３は、表示された表示部品の配置順を変更後の配置順に変更し（ステップＳ１８０６）、ステップＳ１８０５へ戻る。
【０１７６】
ステップＳ１８０５において所定時間内に変更を受け付けない場合、登録部４１５は、総務部のデフォルトの配置設定情報を、選択中のアプリケーションに関するユーザＡの配置設定情報として、記憶部４３０に記憶させる（ステップＳ１８０７）。より具体的には、登録部４１５は、配置設定情報をユーザＡのユーザＩＤ及びユーザ名と対応付けられたユーザ設定情報とし、ユーザ設定テーブル４３４に格納する。
【０１７７】
次に、登録部４１５は、全てのアプリケーションについて配置設定情報の設定が完了しているか否かを判定する（ステップＳ１８０８）。ステップＳ１８０８において、全てのアプリケーションについて配置設定情報の処理が完了していない場合、表示制御処理部４１０は、ステップＳ１８０１に戻る。
【０１７８】
全てのアプリケーションについて、配置設定情報の設定が完了している場合（ステップＳ１８０８  ＹＥＳ）、表示制御処理部４１０は、表示制御部４１３により、表示部品の配置決定画面を表示させ（ステップＳ１８０９）、処理を終了する。尚、本実施形態では、後述する表示部品の配置決定画面において、入力受付部が、「決定」の表示部品７５の選択を受け付けると、表示制御処理部４１０は処理を完了する。
【０１７９】
以下に、図２の（Ａ）及び図１９を用いて、図１８のフローチャートに示す動作が実行されたときの画面遷移について説明する。
【０１８０】
図２の（Ａ）は、Ｓ１８０４で、総務部のデフォルトの配置設定情報に基づいて、表示部品が表示された様子を示す図である。つまり、本実施形態では、ステップＳ１８０４では、ユーザＡがログイン後にコピーアプリケーションを選択したときのトップ画面と同様の画面が表示されることになる。
【０１８１】
したがって、本実施形態では、例えば画像処理装置１００の管理者等が、ユーザ毎の表示部品の配置を設定する際に、設定対象となるユーザの属性に応じた配置設定情報が表示された状態から、表示部品の配置の設定を行うことできる。よって、本実施形態によれば、管理者が画像処理装置１００の各ユーザの使用形態に合わせて表示部品の配置順を設定する場合に、表示部品が設定対象のユーザの属性に応じて配置された状態で表示される。したがって、本実施形態によれば、個々のユーザ毎に表示部品の配置順を設定する手間を省くことができ、管理者による設定作業の負荷を軽減することができる。
【０１８２】
図１９は、Ｓ１８０８で、表示部品の配置決定画面が表示された様子を示す図である。入力受付部が、「決定」の表示部品７５の選択を受け付けると、表示制御処理部４１０は処理を完了する。
【０１８３】
以上のように、簡易な手順で表示画面の設定を行うことができる。
【０１８４】
（第二の実施形態）
以下に図面を参照して第二の実施形態について説明する。第二の実施形態では、配置設定情報の登録の際に、ユーザ属性が類似しているか否かが考慮されるようにする。以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１８５】
図２０は、第二の実施形態のコピー処理部の機能構成を説明する図である。本実施形態のコピー処理部４００Ａは、表示制御処理部４１０Ａ、及び記憶部４３０Ａを有する。
【０１８６】
入力受付部４１１Ａは、ユーザ属性に基づく配置設定情報を設定するか否かの指示を受け付ける。具体的には、入力受付部４１１は、ユーザの所属グループ、ユーザの役職、又はユーザの所属先と役職等、ユーザ属性を示す情報を用いて、配置設定情報を設定するか否かの指示を受け付ける。本実施形態では、配置設定情報の設定対象のユーザについて、ユーザの役職等を用いて配置設定情報を設定することにより、役職による表示部品の使用頻度、及び使用可否等を考慮した配置設定情報を設定させることができる。
【０１８７】
表示制御部４１３Ａは、選択された配置設定情報に基づいて表示部品を表示するときに、表示部品に対応する機能の使用実績や、ユーザの使用可否を示す情報を表示部品と共に表示させる。
【０１８８】
選択部４１４Ａは、入力受付部４１１Ａが受け付けたユーザ属性に従って、配置設定情報を選択する。例えば、選択部４１４Ａは、ユーザの役職に従って、同一の役職のユーザＩＤと対応付けられた配置設定情報を選択する。また、本実施形態の選択部４１４Ａは、配置設定情報の設定対象であるユーザと、同一の所属グループで、かつ、同一の役職の他のユーザの配置設定情報を選択しても良い。選択部４１４Ａは、選択した配置設定情報に基づいて、表示部品を表示することを、表示制御部４１３Ａに指示する。
【０１８９】
尚、選択部４１４Ａは、同一の役職のユーザのみではなく、同等の役職のユーザ、例えばユーザが属する役職と、役職のランクが近いユーザとを選択してもよい。例えば、ユーザの役職が「課長」の場合、役職が「課長」のユーザに加えて、「課長」の１ランク上の「部長」のユーザ、及び「課長」の１ランク下の「主任」のユーザを選択してもよい。
【０１９０】
登録部４１５は、選択部４１４Ａに選択された配置設定情報の登録指示を受けて、選択された配置設定情報をユーザの配置設定情報として登録する。
【０１９１】
本実施形態の記憶部４３０Ａは、所属グループ設定テーブル４３３Ａ、及びユーザ設定テーブル４３４Ａに、表示部品に対応する機能の使用実績を記憶する。
【０１９２】
図２１は、第二の実施形態の所属グループ設定テーブルの一例を示す図である。本実施形態の所属グループ設定テーブル４３３Ａは、第一の実施形態の所属グループ設定テーブル４３３と同様の情報の項目を記憶している。また、本実施形態の所属グループ設定テーブル４３３Ａは、配置設定情報の項目において、並び順、表示部品ＩＤ、設定値に加えて、表示部品ＩＤに対応する機能の使用実績を対応付けて記憶している。使用実績は、例えば、所定の期間の所属グループに属するユーザの使用回数の平均値である。また、使用実績に、所定の期間の所属グループに属するユーザの使用頻度の平均値（例えば０．２回／日等）を記憶してもよい。
【０１９３】
図２２は、第二の実施形態のユーザ設定テーブルの一例を示す図である。本実施形態のユーザ設定テーブル４３４Ａは、第一の実施形態の所属グループ設定テーブル４３３と同様の情報の項目を記憶している。配置設定情報の項目において、並び順、表示部品ＩＤ、設定値に加えて、表示部品ＩＤに対応する機能の使用実績を対応付けて記憶している。また、使用実績に、各ユーザの所定の期間の使用頻度を記憶してもよい。
【０１９４】
図２３を用いて本実施形態の表示制御処理部４１０Ａのユーザ登録の動作について説明する。図２３は、第二の実施形態の表示制御処理部の動作を説明するフローチャートである。ここでは、ユーザＡのユーザの配置設定情報を登録する場合を例に説明する。
【０１９５】
第二の実施形態においても、ユーザ情報がユーザ所属テーブル４３２に記憶された後、つまり、図１４のステップＳ１４０１からステップＳ１４０８の処理が実行された後に、ユーザ設定テーブル４３４Ａに、ユーザ情報と対応付けて配置設定情報を記憶する。第二の実施形態では、所属グループのデフォルトの配置設定情報に加えて、ユーザ属性が類似する他のユーザの配置設定情報を基に、配置設定情報を設定する。
【０１９６】
本実施形態の表示制御処理部４１０Ａは、入力受付部４１１Ａにより、アプリケーションの選択を受け付ける（ステップＳ２３０１）。
【０１９７】
次に、表示制御処理部４１０Ａは、表示制御部４１３Ａにより、所属グループに基づいて配置設定情報を設定するか否かを選択させる画面を操作パネル２０５に表示させる（ステップＳ２３０２）。
具体的には、表示制御部４１３Ａは、所属グループに基づいて配置設定情報を設定させるか、又はユーザ属性に基づいて配置設定情報を設定させるか否かの選択を促す画面を表示をさせる。
【０１９８】
ステップＳ２３０２において、入力受付部４１１が「所属グループに基づいて配置設定情報を設定」する旨の選択を受け付けた場合（ステップＳ２３０２  ＹＥＳ）、表示制御処理部４１０Ａは、後述するステップＳ２３０３に進む。また、ステップＳ２３０２において、入力受付部４１１Ａが「所属グループに基づいて配置設定情報を設定」しない旨の入力を受け付けた場合（ステップＳ２３０２  ＮＯ）、後述するステップＳ２３１２へ進む。尚、所属グループに基づいて配置設定情報を設定しない場合とは、例えば、入力受付部４１１Ａが、類似ユーザに基づいて配置設定情報を設定する旨の入力を受け付けた場合である。
【０１９９】
まず、「所属グループに基づいて配置設定情報を設定」する場合について説明する。表示制御部４１３Ａは、ユーザＡの所属先のデフォルトの配置設定情報を設定するか否かを確認する画面を表示させる（ステップＳ２３０３）。具体的には、表示制御部４１３Ａは、所属グループのデフォルトの配置設定情報を設定するか、又は同一役職のユーザの配置設定情報を設定するかの選択をさせる画面を操作パネル２０５に表示をさせる。
【０２００】
ステップＳ２３０３において、入力受付部４１１Ａが、「所属先のデフォルトの配置設定情報を設定」する旨の入力を受け付けた場合（ステップＳ２３０３  ＹＥＳ）、後述するステップＳ２３０４に進む。ステップＳ２３０３において、入力受付部４１１が、「所属先のデフォルトの配置設定情報を設定」しない旨の入力を受け付けた場合（ステップＳ２３０３  ＮＯ）、後述するステップＳ２３１７へ進む。所属先のデフォルトの配置設定情報を設定しない場合とは、例えば、入力受付部４１１Ａが、「同一役職のユーザの配置設定情報を設定」する旨の入力を受け付けた場合である。
【０２０１】
ステップＳ２３０４乃至ステップＳ２３１１の処理については、ステップＳ１８０２乃至ステップＳ１８０９の処理と同じであるため説明を省略する。
【０２０２】
次に、「類似ユーザに基づいて配置設定情報を設定」する場合（ステップＳ２３１２）について説明する。
【０２０３】
選択部４１４Ａは、記憶部４３０Ａで記憶しているユーザ所属テーブル４３２を基に、ユーザＡと類似するユーザの抽出を行う。具体的には、選択部４１４Ａは、ユーザ所属テーブル４３２から、ユーザＡのユーザＩＤと対応する役職と使用可能な機能とが一致するユーザＩＤを抽出する。或いは、選択部４１４Ａは、ユーザ所属テーブル４３２から、ユーザＡのユーザＩＤと対応する役職が一致し、かつ、使用可能な機能が類似するユーザのユーザＩＤを抽出する（ステップＳ２３１２）。ステップＳ２３１２で抽出されたユーザＩＤを類似ユーザのユーザＩＤと呼ぶ。
【０２０４】
尚、使用可能な機能が類似するユーザＩＤとは、例えば、使用可能な機能の一致度が所定の割合以上であることである。より具体的には、例えば使用可能な機能の数が予め決められた範囲に含まれる数である場合等である。
【０２０５】
続いて、選択部４１４Ａは、抽出された類似ユーザのユーザＩＤと対応するユーザ名の一覧を表示するように、表示制御部４１３Ａに指示する。表示制御部４１３Ａは、選択部４１４Ａからの指示を受けて、類似ユーザのユーザ名の一覧を表示させる（ステップＳ２３１３）。
【０２０６】
入力受付部４１１Ａは、類似ユーザのユーザ名の一覧から、ユーザ名の選択を受け付けると、選択を受け付けた旨を、選択部４１４Ａに通知する（ステップＳ２３１４）。
【０２０７】
次に、選択部４１４Ａは、選択されたユーザの配置設定情報に基づいて、表示部品を表示することを表示制御部４１３Ａに指示する（ステップＳ２３１５）。例えば、選択部４１４Ａは、ユーザ名の一覧において「ユーザＥ」が選択された場合、ユーザＥの配置設定情報に基づいて表示部品を表示することを表示制御部４１３Ａに指示する。
【０２０８】
続いて、表示制御部４１３Ａは、選択されたユーザの配置設定情報に基づいて、表示部品を表示させ（ステップＳ２３１６）、ステップＳ２３０７へ進む。
【０２０９】
次に、同一役職のユーザの配置設定情報を設定する場合（ステップＳ２３１７）について説明する。
【０２１０】
選択部４１４Ａは、記憶部４３０Ａで記憶しているユーザ所属テーブル４３２を基に、所属グループと役職が、ユーザＡのユーザＩＤと対応する所属グループと役職と一致するユーザＩＤを抽出する（ステップＳ２３１７）。具体的には、選択部４１４Ａは、所属グループと役職がユーザＡのユーザＩＤと一致するユーザＩＤの中で、ユーザＡのユーザＩＤと使用可能機能が一致する項目が多いユーザＩＤのみを抽出してもよい。或いは、選択部４１４Ａは、ユーザＡのユーザＩＤと対応する役職の上下のランクの役職に属するユーザのユーザＩＤを抽出してもよい。同一の役職の場合に、十分な候補となるユーザが抽出されないおそれがあるためである。
【０２１１】
次に、選択部４１４Ａは、抽出したユーザＩＤと対応するユーザ名の一覧を表示するように、表示制御部４１３Ａに指示する。表示制御部４１３Ａは、選択部４１４Ａからの指示を受けて、ユーザ名の一覧を表示させる（ステップＳ２３１８）。
【０２１２】
ステップＳ２３１９乃至ステップＳ２３２１の処理は、ステップＳ２３１４乃至ステップＳ２３１６の処理と同様であるため説明を省略する。
【０２１３】
次に、図２４を用いて、図２３のフローチャートに示す動作が実行されたときの画面遷移について説明する。図２４は、第二の実施形態のユーザ属性の選択画面の一例を示す図である。
【０２１４】
図２４の（Ａ）は、ステップＳ２３０２で、表示制御部４１３Ａにより表示される画面の一例を示す図である。表示制御部４１３Ａは、所属グループに基づいて配置設定情報を設定するか、類似ユーザに基づいて配置設定情報を設定するかの選択を促す表示をさせる。
【０２１５】
図２４の（Ｂ）は、ステップＳ２３０３で、表示制御部４１３Ａにより表示される画面の一例を示す図である。表示制御部４１３Ａは、所属グループのデフォルトの配置設定情報を設定するか、同一役職のユーザの配置設定情報を設定するかの選択を促す表示をさせる。
【０２１６】
図２４の（Ｃ）は、ステップＳ２３１３で、表示制御部４１３Ａにより表示される画面の一例を示す図である。配置設定情報の設定中であるユーザＡの類似ユーザとして抽出されたユーザＩＤと対応するユーザ名の一覧として、「ユーザＥ」、「ユーザＨ」、及び「ユーザＭ」が表示されている様子を示している。
【０２１７】
図２４の（Ｄ）は、ステップＳ２３１８で、表示制御部４１３Ａにより表示される画面の一例を示す図である。配置設定情報の設定中であるユーザＡの類似ユーザとして抽出された、同じ所属グループ（「総務部」）で同じ役職（「管理」）のユーザＩＤと対応するユーザ名の一覧として、「ユーザＥ」及び「ユーザＭ」が選択され表示されている様子を示している。
【０２１８】
上述したように、第二の実施形態の画像処理装置１００は、アプリケーション毎に、配置設定情報の設定対象となっているユーザとは異なるユーザの配置設定情報を基に、ユーザの配置設定情報を設定することができる。
【０２１９】
本実施形態では、例えば、コピーアプリケーションについては、所属先のデフォルトの配置設定情報を基に設定をし、スキャンアプリケーションについては、類似ユーザの配置設定情報を基に設定をすることができる。アプリケーション毎に、ユーザに類似する配置設定情報が予め設定されるため、ユーザは、簡易な手順で、アプリケーション毎の表示部品の配置を変更することができる。
【０２２０】
図２５は、第二の実施形態のトップ画面の一例を示す図である。本実施形態では、図２３に示す手順が実行された後に、ユーザＡが画像処理装置１００に対するログインを行い、ホーム画面においてコピーアプリケーションを選択すると、図２５に示すトップ画面が表示される。
【０２２１】
図２５の（Ａ）のトップ画面８は、ユーザＡの配置設定情報に従って表示部品が配置されている様子を示している。この場合、ユーザＡの配置設定情報は、ユーザＢの配置設定情報に基づいて登録されている。各表示部品の配置は変更可能な状態で表示されている。接触位置検知部４１２が表示部品の配置順の変更を検知すると、表示制御部４１３Ａは、検知した内容に応じて、配置部品の配置順を変更させる。
【０２２２】
また、表示制御部４１３Ａは、ユーザＡが使用権限を有する機能と、使用権限を有していない機能とを区別して表示させている。例えば、ユーザＡが使用権限を有していない機能について、使用できないことが分かるように、該当する機能(設定項目)と対応する表示部品を半輝度表示等としてもよい。図２５（Ａ）では、例えば、トップ画面８では、カラーコピー機能を表す表示部品８１が、半輝度で表示されている。
【０２２３】
トップ画面８において、入力受付部４１１Ａが、「決定」を示す表示部品８２に対する押下を受け付けると、登録部４１５は、変更後の配置順が反映された配置設定情報を、記憶部４３０Ａに記憶させる。言い換えれば、登録部４１５は、変更された配置順にしたがって、ユーザ設定テーブル４３４Ａ記憶された配置設定情報を更新する。
【０２２４】
図２５の（Ｂ）のトップ画面９は、ユーザＡの配置設定情報に従って表示部品が配置されている様子を示している。この場合、ユーザＡの配置設定情報は、「総務部のデフォルトの配置設定情報（デフォルトパターン）」に基づいて登録されている。図２５の（Ａ）と同様に、図２５の（Ｂ）の場合も、各表示部品の配置は変更可能な状態で表示されている。
【０２２５】
また、表示制御部４１３Ａは、表示部品を、表示部品に対応する機能の使用実績と共に表示させてもよい。例えば、図２５の（Ｂ）の場合、カラーコピー機能を表す表示部品９２」は、使用実績９２Ａと共に表示される。ここでは、使用実績９２Ａにより、カラーコピーの機能が所定の期間に１００回使用されたことを表している。
【０２２６】
本実施形態では、表示部品を、表示部品の対応する機能の使用実績と共に表示させることにより、ユーザに、使用実績を基に表示部品の配置順を変更させることができる。例えば、ユーザは、使用実績により頻繁に使用する機能と判定した場合には、対応する表示部品については、選択し易いように最初の方の配置順とし、あまり使用しない機能に対応する表示部品については、後ろの方の配置順としたりできる。
【０２２７】
ここで、表示部品と共に表示されるユーザＡの使用実績は、ユーザＡの配置設定情報の基となった、ユーザの配置設定情報、又は所属グループのデフォルトの配置設定情報に記憶されていた値が設定される。類似するユーザの場合や、同一の所属グループの場合には、同様の使用実績を今後有する可能性が高いためである。
【０２２８】
以上のように、本実施形態によれば、ユーザが自身の使用形態に合わせて表示部品の配置順を設定したい場合には、ユーザの所属、及び類似ユーザの使用形態から、ユーザ自身の使用形態が想定されたトップ画面が画像処理装置１００に生成される。ユーザは、生成されたトップ画面に対して配置順を変更する設定を行うことができる。このため、簡易な手順で表示画面の設定を行うことができる。
【０２２９】
（第三の実施形態）
以下に図面を参照して第三の実施形態について説明する。第三の実施形態では、画像処理装置１００が、ネットワーク５０上に接続された機器に記憶されているユーザの配置設定情報に基づいて、ユーザの配置設定情報を設定する。以下の第三の実施形態の説明では、第一の実施形態及び第二の実施形態との相違点についてのみ説明し、第一の実施形態及び第二の実施形態と同様の機能構成を有するものには、第一の実施形態及び第二の実施形態の説明で用いた符号と同様の符号を付与し、その説明を省略する。
【０２３０】
図２６は、第三の実施形態の画像処理システムのシステム構成を示す図である。本実施形態の画像処理システム２６０は、画像処理装置１００Ａ、１００Ｂ、１００Ｃ及び端末９００を有し、各装置はネットワーク５０を介して接続される。ネットワーク５０は、無線ネットワークと、有線ネットワークとを含む。端末９００は、例えば、スマートフォン、タブレット端末、及びＰＣ（Personal Computer）等である。
【０２３１】
画像処理装置１００Ａ、１００Ｂ、１００Ｃ及び端末９００等の機器は、ユーザの配置設定情報の登録を受け付け、受け付けた配置設定情報を記憶する。また、画像処理装置１００Ａ、１００Ｂ、１００Ｃ、及び端末９００は、他の機器からの問い合わせに応じて、記憶している配置設定情報を他の機器に通知する。
【０２３２】
尚、本実施形態では、画像処理システム２６０に３つの画像処理装置１００Ａ、１００Ｂ、１００Ｃが含まれるものとしたが、これに限定されない。画像処理システム２６０に含まれる画像処理装置の数は任意であって良い。また、以下の説明では、画像処理装置１００Ａ、１００Ｂ、１００Ｃを区別しない場合には、単に画像処理装置１００と呼ぶ。
【０２３３】
図２７は、第三の実施形態のユーザ属性の選択画面の一例を示す図である。画像処理装置１００は、選択画面２７０において、「所属先に基づいて配置設定情報を設定」、又は「類似ユーザの配置設定情報を設定」が選択された場合、第一の実施形態及び第二の実施形態で説明したように、記憶部４３０で記憶している配置設定情報に基づいて、ユーザの配置設定情報を設定する。
【０２３４】
画像処理装置１００は、選択画面２７０において、「他の機器に保存されている配置設定情報を取得」が選択された場合、他の機器で記憶している配置設定情報を取得し、取得した配置設定情報に基づいて、ユーザの配置設定情報を設定する。
【０２３５】
本実施形態の画像処理装置１００は、具備する機能が類似する他の画像処理装置１００から配置設定情報を取得してもよい。例えば、画像処理装置１００は、具備する機能の合致する割合を類似度として記憶し、類似度が所定の閾値を上回る他の画像処理装置１００から、配置設定情報を取得してもよい。具備する機能が類似する場合、配置設定情報の変更が少なくて済む可能性が高いためである。
【０２３６】
また、本実施形態の画像処理装置１００は、ユーザ属性の類似するユーザの配置設定情報が登録されている他の画像処理装置や端末等から配置設定情報を取得してもよい。ユーザ属性の類似するユーザの配置設定情報は、他の画像処理装置に適用された場合でも、変更が少なくて済む可能性が高いためである。
【０２３７】
また、本実施形態の画像処理装置１００は、画像処理装置１００に配置設定情報を登録するユーザと、同一のユーザの配置設定情報が他の画像処理装置や端末等で記憶されている場合には、他の画像処理装置や端末等から同一のユーザの配置設定情報を取得してもよい。同一のユーザの配置設定情報は、画像処理装置や端末等に適用した場合には、ほぼ同じ表示部品の配置順を適用する可能性が高いためである。
【０２３８】
図２８は、第三の実施形態のコピー処理部の機能構成を説明する図である。第三の実施形態のコピー処理部４００Ｂは、他機器連携部７００を有する。他機器連携部７００は、ネットワーク５０を介して、他の機器から配置設定情報を取得する。他機器連携部７００の機能の詳細については後述する。
【０２３９】
表示制御部４１３Ｂは、ユーザの配置設定情報の設定の際に、画像処理装置１００に記憶されている配置設定情報を基に設定を行うのか、或いは、他の機器に記憶されている配置設定情報を基に設定を行うのかの選択させる画面（図２７参照）を表示をさせる。
【０２４０】
入力受付部４１１Ｂは、他の機器に記憶されている配置設定情報を基に設定を行う旨の入力を受け付けると、入力を受け付けた旨を選択部４１４Ｂに通知する。
【０２４１】
選択部４１４Ｂは、通知を受けて、他の機器に記憶されている配置設定情報を取得することを他機器連携部７００に指示する。他機器連携部７００への指示には、配置設定情報の取得方法を含む。取得方法には、例えば、具備する機能が類似する機器から配置設定情報を取得する方法、ユーザ属性の類似するユーザの配置設定情報が登録されている機器から取得する方法、画像処理装置１００で登録を受け付けているユーザと同一のユーザの配置設定情報を取得する方法、或いはこれらの組み合わせ等である。
【０２４２】
他機器連携部７００は、選択部４１４Ｂから、配置設定情報の取得の指示を受け付け、ネットワーク５０に接続されている機器から配置設定情報を取得する。
【０２４３】
他機器連携部７００は、取得部７１０と、記憶部７３０とを有する。
【０２４４】
取得部７１０は、ネットワーク５０に接続されている機器から配置設定情報を取得する。
【０２４５】
記憶部７３０は、機器能力テーブル７３１を記憶する。機器能力テーブル７３１には、ネットワークに接続されている機器のモデル名、及び具備する機能等を記憶する。詳細については後述する。
【０２４６】
取得部７１０は、選択部４１４Ｂから具備する機能が類似する機器から配置情報を取得するように指示された場合、機器能力テーブル７３１を参照して、具備する機能が類似する機器を抽出する。取得部７１０は、モデル名が同一、若しくは同一の製品グループ（シリーズ）の場合、具備する機能が類似する機器として抽出してもよい。また、取得部７１０は、具備する機能が所定の割合以上で一致する場合、機能が類似する機器として抽出してもよい。
【０２４７】
取得部７１０は、選択部４１４Ｂから類似するユーザの配置設定情報が登録されている機器から配置設定情報を取得するように指示された場合、設定中のユーザの所属、及び役職等に基づいて、ネットワーク５０に接続されている機器に配置設定情報が登録されているか否かを問い合わせる。そして、取得部７１０は、類似するユーザの配置設定情報が登録されている機器から配置設定情報を取得する。
【０２４８】
取得部７１０は、選択部４１４Ｂから、同一のユーザの配置設定情報が登録されている機器から配置設定情報を取得するように指示された場合、設定中のユーザの識別子（ユーザＩＤ）、又はユーザ名に基づいて、ネットワーク５０に接続されている機器に配置設定情報が登録されているか否かを問い合わせる。そして、取得部７１０は、同一のユーザの配置設定情報が登録されている機器から配置設定情報を取得する。尚、問合せのときに用いるユーザの識別子等は、ユーザを一意に特定できればよく、フォーマット等に特に限定はない。
【０２４９】
図２９は、第三の実施形態の機器能力テーブルの一例を示す図である。機器ＩＤと、機器名と、モデル名と、コピーアプリケーションにおける機能とを情報の項目として記憶している。
【０２５０】
図２９の例では、コピーアプリケーションの機能として、ネットワークに接続されている各機器の「カラー」、「サイズ」、「ステープル」、及び「パンチ」等の項目が記憶されている。「カラー」については、フルカラー及びモノクロ等の設定が記憶され、「サイズ」については、サポートする用紙サイズの大きさについての設定が記憶され、「ステープル」と「パンチ」については、印刷後にステープルとパンチの機能の提供可否が記憶されている。
【０２５１】
ここで、図２９のスマートフォンＤのような、端末９００の場合、各機能の欄には、値が設定されない。端末９００に記憶された配置設定情報は、画像処理装置１００を使用するときに、用いられるものの、特定の画像処理装置１００とは対応付けられていない。このため、端末９００には、特に使用できる機能に制限がないものとして記憶される。
【０２５２】
図３０を用いて本実施形態の表示制御処理部４１０Ｂのユーザ登録の動作の一例について説明する。図３０は、第三の実施形態の表示制御処理部の動作を説明する第一のフローチャートである。ここでは、ユーザＡのユーザの配置設定情報を登録する場合を例に説明する。
【０２５３】
図３０のフローチャートでは、ユーザ情報がユーザ所属テーブルに記憶された後、つまり、ステップＳ１４０１からステップＳ１４０８の処理が実行された後に、ユーザ設定テーブル４３４に、ユーザの配置設定情報が記憶される手順を示している。図３０に示すフローチャートでは、ネットワーク５０上の他の機器に記憶されている類似ユーザの配置設定情報を取得し、取得した類似ユーザの配置設定情報を基にユーザの配置設定情報を設定する。
【０２５４】
本実施形態の表示制御処理部４１０Ｂは、入力受付部４１１Ｂにより、アプリケーションの選択を受け付ける（ステップＳ３００１）。
【０２５５】
次に、入力受付部４１１Ｂがアプリケーションの選択を受け付けると、表示制御部４１３Ｂは、他の機器から配置設定情報を選択するか否かを確認する画面を表示させる（ステップＳ３００２）。例えば、図２７に示す画面を表示する。
【０２５６】
ステップＳ３００２で、入力受付部４１１Ｂが、他の機器から配置設定情報を取得する旨の入力を受け付けた場合（ステップＳ３００２  ＹＥＳ）、表示制御処理部４１０Ｂは、ステップＳ３００３に進む。一方、ステップＳ３００２で、入力受付部４１１Ｂが、他の機器から配置設定情報を取得する旨の入力を受け付けなかった場合（ステップＳ３００２  ＮＯ）、表示制御処理部４１０Ｂは、後述するステップＳ３０１５へ進む。
【０２５７】
続いて、表示制御処理部４１０Ｂは、選択部４１４Ｂにより、他機器連携部７００に他の機器から配置設定情報を取得するように指示する。他機器連携部７００への指示には、取得方法を含む。図３０のフローチャートでは、他機器連携部７００への指示にはユーザＡの類似ユーザの配置設定情報を取得する旨の指示と、ユーザＡのユーザＩＤと対応する所属グループ及び役職を含む。ここでは、ユーザＡの所属グループは、「総務部」、役職は「管理職」であるものとして説明する。
【０２５８】
他機器連携部７００の取得部７１０は、記憶部７３０で記憶している機器能力テーブル７３１を参照する。取得部７１０は、画像処理装置１００と類似する機能を有する画像処理装置１００が機器能力テーブル７３１に記憶されているか否かを判定する（ステップＳ３００３）。例えば、取得部７１０は、類似度が所定の閾値を上回る他の画像処理装置１００を、類似する機能を有する画像処理装置と判定する。より具体的には、取得部７１０は、画像処理装置１００と、使用可能機能の数が所定数以上一致する他の画像処理装置１００を類似する機能を有する画像処理装置と判定する。
【０２５９】
ステップＳ３００３において、類似する機能を有する画像処理装置１００が機器能力テーブル７３１に記憶されている場合（ステップＳ３００３  ＹＥＳ）、表示制御処理部４１０Ｂは、後述するステップＳ３００４に進む。一方、ステップＳ３００３において、類似する機能を有する他の画像処理装置１００が機器能力テーブル７３１に記憶されていない場合（ステップＳ３００３  ＮＯ）、表示制御処理部４１０Ｂは、後述するステップＳ３０１５へ進む。
【０２６０】
続いて、取得部７１０は、類似する機能を有する他の画像処理装置１００に、ユーザＡの類似ユーザの配置設定情報を有するか否かを問い合わせる（ステップＳ３００４）。問い合わせには、ユーザＡの所属「総務部」と、役職「管理職」とを含む。取得部７１０は、他の画像処理装置１００からの応答を受信し、他の画像処理装置１００が類似ユーザの配置設定情報を有するか否かを判定する。例えば、他の画像処理装置１００に、ユーザＡの所属グループと役職が一致するユーザＩＤと対応する配置設定情報が所定数以上記憶されている場合、取得部７１０は、他の画像処理装置１００が類似ユーザの配置設定情報を有すると判定してもよい。
【０２６１】
ステップＳ３００４において、取得部７１０が、他の画像処理装置１００は類似ユーザの配置設定情報を有すると判定された場合（ステップＳ３００４  ＹＥＳ）、後述するステップＳ３００５に進む。一方、ステップＳ３００４において、他の画像処理装置１００は類似ユーザの配置設定情報を有していないと判定された場合（ステップＳ３００４  ＮＯ）、第一の実施形態又は第二の実施形態と同様の手順により、ユーザ設定テーブル４３４にユーザに配置設定情報を記憶する（ステップＳ３０１３）。
【０２６２】
取得部７１０は、他の画像処理装置１００から類似するユーザの配置設定情報を取得する（ステップＳ３００５）。ここで、複数の他の画像処理装置１００が類似するユーザの配置設定情報を有すると判定された場合、取得部７１０は、複数の他の画像処理装置１００の各々から類似するユーザの配置設定情報を取得する。取得部７１０は、取得した類似ユーザの配置設定情報を選択部４１４Ｂに通知する。
【０２６３】
次に、選択部４１４Ｂは、表示制御部４１３Ｂに、取得された配置設定情報に対応する類似ユーザのユーザ名の一覧を表示をさせることを指示する。表示制御部４１３Ｂは、指示を受けて類似ユーザを表示させる（ステップＳ３００６）。
【０２６４】
続いて、入力受付部４１１Ｂは、表示されている類似ユーザから、配置設定情報の参照対象となる類似ユーザの選択を受け付ける（ステップＳ３００７）。
【０２６５】
選択部４１４Ｂは、入力受付部４１１Ｂが選択を受け付けたことに応じて、表示制御部４１３Ｂに、選択されたユーザの配置設定情報に基づいて、表示部品を表示することを指示する（ステップＳ３００８）。
【０２６６】
続いて、表示制御部４１３Ｂは、選択されたユーザの配置設定情報と、画像処理装置１００の具備する機能とを基に、表示部品の表示形態を調整する（ステップＳ３００９）。調整後に、選択部４１４Ｂは、表示部品を表示する。例えば、類似するユーザとして画像処理装置１００ＣのユーザＧが選択された場合について説明する。選択部４１４Ｂは、画像処理装置１００Ｃが具備するが、画像処理装置１００Ａが具備しない機能に対応する表示部品を削除する。また、選択部４１４Ｂは、画像処理装置１００Ｃは具備しないが、画像処理装置１００Ａが具備する機能に対応する表示部品を追加する。さらに、選択部４１４Ｂは、ユーザＡに設定されている権限に合せて、ユーザＧの権限に基づき設定されている表示部品の表示を調整する。選択部４１４Ｂは、ユーザＧは権限を有するが、ユーザＡが権限を有しない機能については、機能に対応する表示部品の表示を半輝度等に変更する。また、選択部４１４Ｂは、ユーザＧは権限を有しないが、ユーザＡが権限を有する機能については、機能に対応する表示部品の表示を通常の表示に変更する。
【０２６７】
尚、本実施形態では、調整の必要がない場合には、ステップＳ３００９の処理を飛ばしてステップＳ３０１０へ進む。
【０２６８】
続いて表示制御部４１３Ｂは、表示部品を表示させる（ステップＳ３０１０）。
【０２６９】
ステップＳ３０１１からステップＳ３０１５までの処理は、図１８のステップＳ１８０５からステップＳ１８０９までの処理と同様であるから、説明は省略する。
【０２７０】
また、ステップＳ３００３、３００４、３００５において、ＮＯであった場合、表示制御処理部４１０Ｂは、第一の実施形態又は第二の実施形態と同様の手順により、ユーザ設定テーブル４３４にユーザに配置設定情報を記憶する（ステップＳ３０１６）。
【０２７１】
本実施形態では、以上に説明した図３０の手順を実行することにより、画像処理装置１００は、アプリケーション毎に、機能が類似している他の画像処理装置を選択し、選択された他の画像処理装置に記憶されているユーザＡの類似ユーザの配置情報設定を取得することができる。
【０２７２】
図３１は、第三の実施形態の類似ユーザの選択画面の一例を示す図である。表示制御部４１３Ｂは、ステップＳ３００６で、図３１に示すように、類似ユーザのユーザ名を、類似ユーザの配置設定情報を取得した機器名と共に表示させてもよい。
【０２７３】
次に、図３２を用いて本実施形態の表示制御処理部４１０Ｂのユーザ登録の動作の一例について説明する。図３２は、第三の実施形態の表示制御処理部の動作を説明する第二のフローチャートである。ここでは、ユーザＡのユーザの配置設定情報を登録する場合を例に説明する。
【０２７４】
図３２のフローチャートでは、ユーザ情報がユーザ所属テーブル４３２に記憶された後、つまり、ステップＳ１４０１からステップＳ１４０８の処理が実行された後に、ユーザ設定テーブル４３４に、ユーザの配置設定情報が記憶される手順を示している。図３２に示すフローチャートでは、ネットワーク５０上の他の画像処理装置に記憶されているユーザＡの配置設定情報を取得し、取得した配置設定情報に基づきユーザＡの配置設定情報を設定する。
【０２７５】
ステップＳ３２０１乃至ステップＳ３２０３については、ステップＳ３００１乃至ステップＳ３００３と同様であるため説明を省略する。
【０２７６】
取得部７１０は、類似する機能を有する他の画像処理装置１００に、ユーザＡの配置設定情報を有するか否かを問い合わせる。問い合わせには、ユーザＡのユーザＩＤ、及び／又はユーザ名を含む。取得部７１０は、他の画像処理装置１００からの応答を受信し、他の画像処理装置１００がユーザＡの配置設定情報を有するか否かを判定する（ステップＳ３２０４）。
【０２７７】
取得部７１０が、他の画像処理装置１００はユーザＡの配置設定情報を有すると判定した場合（ステップＳ３２０４  ＹＥＳ）、表示制御処理部４１０Ｂは、後述するステップＳ３２０５に進む。一方、ステップＳ３２０４において、取得部７１０が、他の画像処理装置１００は類似するユーザの配置設定情報を有していないと判定した場合（ステップＳ３２０４  ＮＯ）、表示制御処理部４１０Ｂは、後述するステップＳ３２１６へ進む。
【０２７８】
ステップＳ３２０４に続いて、取得部７１０は、ユーザＡの配置設定情報を有する画像処理装置の装置名を取得する（ステップＳ３２０５）。ここで、複数の他の画像処理装置１００がユーザＡの配置設定情報を有すると判定された場合、取得部７１０は、複数の他の画像処理装置１００の各々から装置名を取得する。
【０２７９】
続いて、選択部４１４Ｂは、表示制御部４１３Ｂに、取得された装置名の一覧の表示を指示する。表示制御部４１３Ｂは、指示を受けて取得した機器の名称の一覧を表示させる（ステップＳ３２０６）。
【０２８０】
入力受付部４１１Ｂは、装置の名称の一覧からユーザＡの配置設定情報を取得する装置の選択を受け付ける（ステップＳ３２０７）。
【０２８１】
次に、表示制御部４１３Ｂは、選択された画像処理装置１００からユーザＡの配置設定情報を取得し、取得した配置設定情報に基づいて表示部品を表示することを指示する（ステップＳ３２０８）。
【０２８２】
続いて、表示制御部４１３Ｂは、選択された装置の配置設定情報と、画像処理装置１００の具備する機能とを基に、表示部品の表示形態を調整する（ステップＳ３２０９）。具体的には、例えば、表示制御部４１３Ｂは、選択された画像処理装置が具備するが、配置設定情報の対象先となる画像処理装置１００が具備しない機能に対応する表示部品を削除する。また、表示制御部４１３Ｂは、選択された画像処理装置は具備しないが、画像処理装置１００が具備する機能に対応する表示部品を追加する。
【０２８３】
続いて表示制御部４１３Ｂは、選択部４１４Ｂの指示を受けて、表示部品を表示させる（ステップＳ３２１０）。
【０２８４】
ステップＳ３２１１からステップＳ３２１５までの処理は、図１８のステップＳ１８０５からステップＳ１８０９までの処理と同様であるから、説明を省略する。
【０２８５】
また、ステップＳ３２０２、３２０３、３２０４において、ＮＯであった場合、表示制御処理部４１０Ｂは、第一の実施形態又は第二の実施形態と同様の手順により、ユーザ設定テーブル４３４にユーザに配置設定情報を記憶する（ステップＳ３２１６）。
【０２８６】
以上のように、図３２に示す動作を実行することにより、画像処理装置１００は、アプリケーション毎に、機能が類似している他の機器を選択し、選択された他の機器に記憶されているユーザＡの配置情報設定を取得することができる。
【０２８７】
図３３は、第三の実施形態の配置設定情報の選択画面の一例を示す図である。表示制御部４１３Ｂは、ステップＳ３２０６で、ユーザＡの配置情報設定を取得した機器を、表示させてもよい。
【０２８８】
尚、上述した実施形態においては、配置設定情報を画像処理装置スマートフォン等の端末９００に配置設定情報を設定する場合でも、同様の手順により実現することができる。他の機器から取得した配置設定情報に基づいて、端末９００に表示部品を配置する場合、表示部品の削除は行わない。端末９００に表示した表示部品の使用の可否は、端末９００が使用する本体装置３００の具備する機能に依存する。このため、使用する本体装置３００が特定された後に、端末９００に表示した表示部品の削除等が行われる。
【０２８９】
本実施形態によれば、ユーザが自身の使用形態に合わせて表示部品の配置順を設定したい場合には、他の機器に記憶されている類似ユーザ、又はユーザ自身の使用形態から、ユーザ自身の使用形態が想定されたトップ画面が画像処理装置１００に生成される。ユーザは、生成されたトップ画面に対して配置順を変更する設定を行うことができる。このため、簡易な手順で表示画面の設定を行うことができる。
【０２９０】
（その他）
上述した実施形態においては、コピーアプリケーションの処理について説明したが、他のアプリケーション（スキャンアプリケーション、ＦＡＸアプリケーション等）の対応する処理部は、コピー処理部４００と同様の処理部を有している。従って、各アプリケーションにおいても、同様のユーザの配置設定情報の設定が可能である。
【０２９１】
以上、各実施形態に基づき本発明の説明を行ってきたが、上記実施形態に示した要件に本発明が限定されるものではない。これらの点に関しては本発明の主旨をそこなわない範囲で変更することができ、その応用形態に応じて適切に定めることができる。
【符号の説明】
【０２９２】
１００  画像処理装置
２００  操作装置
４００、４００Ａ、４００Ｂ  コピー処理部
４１０、４１０Ａ、４１０Ｂ  表示制御処理部
４１１、４１１Ａ、４１１Ｂ  入力受付部
４１２  接触位置検知部
４１３、４１３Ａ、４１３Ｂ  表示制御部
４１４、４１４Ａ、４１４Ｂ  選択部
４１５  登録部
４１６  要求出力部
４２０  処理部
４２１  設定要求部
４２２  印刷要求部
４３０、４３０Ａ  記憶部
４３１  表示部品テーブル
４３２  ユーザ所属テーブル
４３３、４３３Ａ  所属グループ設定テーブル
４３４、４３４Ａ  ユーザ設定テーブル
５００  スキャナ処理部
６００  ＦＡＸ処理部
７００  他機器連携部
７１０  取得部
７３０  記憶部
７３１  機器能力テーブル
７５０  プリンタ処理部
９００  端末
【先行技術文献】
【特許文献】
【０２９３】
【特許文献１】特開２０１２−１９０３２６号公報
【図１】
2017078905.tif 000003
【図２】
2017078905.tif 000004
【図３】
2017078905.tif 000005
【図４】
2017078905.tif 000006
【図５】
2017078905.tif 000007
【図６】
2017078905.tif 000008
【図７】
2017078905.tif 000009
【図８】
2017078905.tif 000010
【図９】
2017078905.tif 000011
【図１０】
2017078905.tif 000012
【図１１】
2017078905.tif 000013
【図１２】
2017078905.tif 000014
【図１３】
2017078905.tif 000015
【図１４】
2017078905.tif 000016
【図１５】
2017078905.tif 000017
【図１６】
2017078905.tif 000018
【図１７】
2017078905.tif 000019
【図１８】
2017078905.tif 000020
【図１９】
2017078905.tif 000021
【図２０】
2017078905.tif 000022
【図２１】
2017078905.tif 000023
【図２２】
2017078905.tif 000024
【図２３】
2017078905.tif 000025
【図２４】
2017078905.tif 000026
【図２５】
2017078905.tif 000027
【図２６】
2017078905.tif 000028
【図２７】
2017078905.tif 000029
【図２８】
2017078905.tif 000030
【図２９】
2017078905.tif 000031
【図３０】
2017078905.tif 000032
【図３１】
2017078905.tif 000033
【図３２】
2017078905.tif 000034
【図３３】
2017078905.tif 000035